(57)【要約】【課題】グリル扉やのぞき窓に使用者の手や指が触れることをガード体によって抑制、防止し、かつ、使用者がガード体に触れたときにも熱く感じることを抑制することが可能な、安全で使い勝手のよい加熱調理器を提供する。【解決手段】のぞき窓を覆うガード部材６０を備え、ガード部材６０の主要部が、合成樹脂により構成され、のぞき窓の周縁部の前方には、ガード部材を支持する支持部を備えた枠体４４が配設され、ガード部材の上部の左右領域が、枠体が備える支持部に、回動可能に支持されており、ガード部材を、所定位置から前側上方に回動させることができるように構成されている。  枠体が備える支持部が軸受であり、ガード部材の上部の左右領域には回動軸が配設され、ガード部材が回動軸を軸として所定方向に回動させることができるように構成されている。【選択図】図２
2019148345.tif 000002
【特許請求の範囲】
【請求項１】
前方に開口を備え、被加熱物を前記開口から内部に収納するグリル庫と、前記グリル庫の前方に配置され、前記開口を開閉するグリル扉であって、ガラスがはめ込まれたのぞき窓を備えたグリル扉とを備えた加熱調理器であって、
前記のぞき窓の前方の所定位置に配設され、前記のぞき窓を覆うガード部材を備え、
前記ガード部材の主要部が、合成樹脂により構成され、
前記のぞき窓の周縁部の前方には、前記ガード部材を支持する支持部を備えた枠体が配設され、
前記ガード部材の上部の左右領域が、前記枠体が備える前記支持部に、回動可能に支持されており、
前記ガード部材を、前記所定位置から前側上方に回動させることができるように構成されていること
を特徴とする加熱調理器。
【請求項２】
前記枠体が備える前記支持部が軸受であり、
前記ガード部材の前記上部の前記左右領域には回動軸が配設され、
前記ガード部材が前記回動軸を軸として所定方向に回動させることができるように構成されていること
を特徴とする請求項１記載の加熱調理器。
【請求項３】
前記ガード部材が、上下方向の寸法が８ｍｍ未満で横長の貫通孔を備えていることを特徴とする請求項１または２記載の加熱調理器。
【発明の詳細な説明】
【技術分野】
【０００１】
本発明は、加熱調理器に関し、詳しくは、グリルを備え、前面にグリル庫の開閉を行うためのグリル扉を備えた加熱調理器に関する。
【背景技術】
【０００２】
加熱調理器の中には、肉や魚などの被調理物を焼いたりする調理に用いられるグリルを備えた加熱調理器がある。そして、グリルを備えたガスコンロなどの加熱調理器においては、前面にグリルを構成するグリル庫の開閉を行うためのグリル扉を備えたものが一般的である。
【０００３】
このような加熱調理器の場合、グリル調理が行われると、グリル庫内の加熱手段によりグリル扉が加熱されて高温になるため、使用者らがグリル扉に触れると熱さに驚ろかされる場合があるばかりでなく、火傷をするおそれもある。
【０００４】
そのため、グリル扉や、グリル庫内ののぞき窓の前に、ガード部材や保護部材を配設するようにした加熱調理器が提案されている。
【０００５】
そして、特許文献１には、線材または棒材から構成され、のぞき窓の前方を覆うガード体を備えるグリル（加熱調理器）が開示されている。そして、この特許文献１の加熱調理器において、ガード体はグリル扉の取っ手に取り付けられるように構成されている。
【０００６】
そして、上記特許文献１に記載された加熱調理器は、グリル扉の前面がガード体によって覆われていることから、高温になるグリル扉やのぞき窓への、使用者の手や指の接触が抑制、防止され、調理の際の安全性や信頼性、快適性などを向上させることができる点で有意義である。
【先行技術文献】
【特許文献】
【０００７】
【特許文献１】特許５１００４４０号公報
【発明の概要】
【発明が解決しようとする課題】
【０００８】
しかしながら、上記特許文献１に記載された加熱調理器においては、ガード体が、熱の伝わりやすい金属の線材または棒材から構成されているので、ガード体によって使用者がグリル扉の前面に触れて火傷をすることは防止できても、使用者がガード体に触れたときに熱さを感じやすく、不快感を与えることが考えられ、改善の余地があるのが実情である。
【０００９】
本発明は、上記の課題を解決するものであり、グリル扉の前面を覆うガード体を備え、使用時に高温になるグリル扉やのぞき窓に使用者の手や指が触れることをガード体によって抑制、防止し、かつ、使用者がガード体に触れたときにも熱く感じることを抑制することが可能な、安全で使い勝手のよい加熱調理器を提供することを目的とする。
【課題を解決するための手段】
【００１０】
上記の目的を達成するために、本発明の加熱調理器は、
前方に開口を備え、被加熱物を前記開口から内部に収納するグリル庫と、前記グリル庫の前方に配置され、前記開口を開閉するグリル扉であって、ガラスがはめ込まれたのぞき窓を備えたグリル扉とを備えた加熱調理器であって、
前記のぞき窓の前方の所定位置に配設され、前記のぞき窓を覆うガード部材を備え、
前記ガード部材の主要部が、合成樹脂により構成され、
前記のぞき窓の周縁部の前方には、前記ガード部材を支持する支持部を備えた枠体が配設され、
前記ガード部材の上部の左右領域が、前記枠体が備える前記支持部に、回動可能に支持されており、
前記ガード部材を、前記所定位置から前側上方に回動させることができるように構成されていること
を特徴としている。
【００１１】
本発明の加熱調理器においては、
前記枠体が備える前記支持部が軸受であり、
前記ガード部材の前記上部の前記左右領域には回動軸が配設され、
前記ガード部材が前記回動軸を軸として所定方向に回動させることができるように構成されていること
が好ましい。
【００１２】
また、前記ガード部材が、上下方向の寸法が８ｍｍ未満で横長の貫通孔を備えていることが好ましい。
【発明の効果】
【００１３】
本発明の加熱調理器は、上述のように構成されており、前方に開口を備え、被加熱物を開口から内部に収納するグリル庫と、グリル庫の前方に配置され、開口を開閉するグリル扉であって、ガラスがはめ込まれたのぞき窓を備えたグリル扉とを備えた加熱調理器において、のぞき窓の前方の所定位置に配設され、のぞき窓を覆うガード部材を備え、ガード部材の主要部が、合成樹脂により構成され、のぞき窓の周縁部の前方には、ガード部材を支持する支持部を備えた枠体が配設され、ガード部材の上部の左右領域が、枠体が備える支持部に、回動可能に支持されており、ガード部材を、所定位置から前側上方に回動させることができるように構成されているので、使用時に高温になるグリル扉や透明窓への手や指の接触が防止され、しかも、使用者がガード体に触れたとき、熱く感じてしまうことが抑制される。
しかも、ガード部材が所定位置（使用位置）から前側上方に回動可能に構成されているので、グリル扉を閉じた状態でガード部材を所定位置から前側上方に回動することで、グリル庫内を視認することが可能になり、安全性が高く、使い勝手の良好な加熱調理器を提供することができる。
【００１４】
また、枠体が備える支持部が軸受であり、ガード部材の上部の左右領域には回動軸が配設され、ガード部材が回動軸を軸として所定方向に回動させることができるように構成されている場合、本発明の加熱調理器を容易かつ確実に構成することが可能になり、本発明をより実効あらしめることができる。
【００１５】
また、ガード部材が、上下方向の寸法が８ｍｍ未満で横長の貫通孔を備えた構成とした場合、ガード部材が所定位置（使用位置）に位置する状態で、グリル庫内を視認することが可能な、使い勝手の良好な加熱調理器を提供することができる。なお、貫通孔の上下方向の寸法を８ｍｍ未満とすることにより、使用者の手指がグリル扉ののぞき窓に届くことが抑制され、信頼性が確保される。
【図面の簡単な説明】
【００１６】
【図１】本発明の実施形態にかかる加熱調理器のガード部材が使用位置（所定位置）に位置している状態を示す斜視図である。
【図１Ａ】本発明の実施形態にかかる加熱調理器のガード部材が使用位置（所定位置）から前側上方に回動した状態を示す斜視図である。
【図２】本発明の実施形態にかかる加熱調理器が備えるグリル扉に装着したガード部材が使用位置（所定位置）に位置している状態を示す斜視図である。
【図２Ａ】本発明の実施形態にかかる加熱調理器が備えるグリル扉に装着したガード部材が使用位置（所定位置）から前側上方に回動した状態を示す斜視図である。
【図３】本発明の実施形態にかかる加熱調理器が備えるガード部材の構成を示す斜視図である。
【図４】本発明の実施形態にかかる加熱調理器が備えるグリル扉にガード部材を取りつけずに、枠体を取り付けた状態を示す斜視図である。
【発明を実施するための形態】
【００１７】
以下、本発明の実施形態を示して、その特徴とするところをさらに詳しく説明する。
【００１８】
［実施形態］
本実施形態では、加熱調理器として、グリルが組み込まれたグリル付きガスコンロを例にとって説明する。
【００１９】
＜グリル付きガスコンロの基本構造＞
本発明の一実施形態にかかる加熱調理器Ａは、グリル付きガスコンロであって、コンロ部１０１とグリル部１０４を備えたビルトイン型のガスコンロである。以下説明を行う。
【００２０】
この実施形態にかかる加熱調理器（グリル付きガスコンロ）Ａは、図１に示すように、高火力バーナ１（１ａ）、１（１ｂ）、および小バーナ１（１ｃ）の３つのバーナ（コンロバーナ）を備えている。
【００２１】
また、トッププレート１２上には、各バーナ（コンロバーナ）１の上部に載置される鍋などの被加熱物（調理容器）（図示せず）を受け止め、支持するための五徳５１が載置されている。
【００２２】
また、グリル付きガスコンロＡは、前方に開口４１ａを備え、被加熱物を開口４１ａから内部に収納する箱状に構成されたグリル庫４１と、グリル庫４１の前方に配置され、開口４１ａを開閉するグリル扉４２とを備えている。
【００２３】
また、グリル扉４２には、グリル庫４１内を透視するための、ガラス（強化ガラス）４３ａがはめ込まれたのぞき窓４３（図１Ａ、図２Ａ）が形成されている。
【００２４】
さらに、各コンロバーナ１（１ａ、１ｂ、１ｃ）には、例えば、鍋やフライパンなどの調理容器（図示せず）の底に接触してその温度を検出するためのサーミスタからなる温度検出体（鍋底温度センサ）９が、コンロバーナ１（１ａ、１ｂ、１ｃ）の中央を貫通するように配設されている。
【００２５】
そして、この温度検出体（鍋底温度センサ）９を備えたコンロバーナ１（１ａ、１ｂ、１ｃ）により、炊飯、湯沸かし、揚げものなどの温調調理を行うことができるように構成されている。
【００２６】
また、加熱調理器Ａの前側面の操作盤には、上述のコンロバーナ１（１ａ、１ｂ、１ｃ）とグリルバーナ（図示せず）の点火および消火、火力調節と各種の設定とを指令する手動操作部３４（図１参照）が設けられている。
【００２７】
なお、グリル部１０４は、箱状のグリル庫４１（ただし、内部は図示せず）内に、魚などの被調理物を載置するための載置部として機能する焼き網（図示せず）を設けた構成とされている。また、グリル庫４１内には、１つの上側バーナ（図示せず）と２つの下側バーナ（図示せず）が配設されている。
【００２８】
上記手動操作部３４は、コンロバーナ１（高火力バーナ１ａ、１ｂ、小バーナ１ｃ）のそれぞれに対して各別に点火・消火や火力調節を指令するための３つのバーナ操作部２１（２１ａ、２１ｂ、２１ｃ）、コンロバーナ１（１ａ、１ｂ、１ｃ）の温調機能（湯沸かし、揚げ物、炊飯）とタイマ機能についての操作および表示を行うコンロバーナ用の付加機能操作・表示部３２、グリルバーナ（上側バーナと２つの下側バーナ）の火力調節などを行うグリルバーナ操作部２２、グリルバーナの作動状態の切り換えを指令するグリル用の付加機能操作・表示部３３などを備えている。
【００２９】
なお、器具本体１０の前面右上に配置された電源スイッチ２４をＯＮにした後に、上記高火力バーナ操作部２１ａ、高火力バーナ操作部２１ｂ、および小バーナ操作部２１ｃを押し込み操作することにより、高火力バーナ１ａ、高火力バーナ１ｂ、および小バーナ１ｃが点火するとともに、各バーナ操作部２１（２１ａ、２１ｂ、２１ｃ）が内部から飛び出して、火力調節を行うことができるように構成されている。
【００３０】
また、各バーナ操作部２１（２１ａ、２１ｂ、２１ｃ）を再度押し込むことにより、高火力バーナ１ａ、高火力バーナ１ｂ、小バーナ１ｃの消火動作が実行されるとともに、各バーナ操作部２１（２１ａ、２１ｂ、２１ｃ）が器具本体１０の内部に収納されるように構成されている。
【００３１】
なお、このような操作部の構成は周知であるので詳細な説明は省略する。
【００３２】
＜特徴的構成＞
本実施形態にかかる加熱調理器（グリル付きガスコンロ）Ａは、グリル扉４２ののぞき窓４３の前方に配置され、のぞき窓４３を覆って、使用者らがグリル扉４２ののぞき窓４３に触れることを抑制、防止するガード部材６０を備えている（図２参照）。
【００３３】
ガード部材６０の主要部は、合成樹脂により構成されている。
また、のぞき窓４３の周縁部の前方には、ガード部材６０を支持する支持部４５（図４参照）を備えた枠体４４が配設されている。
【００３４】
本実施形態にかかる加熱調理器Ａにおいては、ガード部材６０の上部の左右領域が、枠体４４が備える支持部４５に、回動可能に支持されている。
【００３５】
具体的には、図３に示すように、ガード部材６０の上部の左右領域に、回動軸６１が配設されており、回動軸６１は、枠体４４に配設された軸受４５（図４参照）により軸支されるように構成されている。すなわち、本実施形態では、ガード部材６０を回動可能に支持する支持部が軸受４５として構成されている。
【００３６】
このように、本実施形態にかかる加熱調理器Ａにおいて、枠体４４は、ガード部材６０が備える回動軸６１を軸支する支持部として軸受４５を備えているとともに、ガード部材６０は、その上部の左右領域に回動軸６１を備えており、回動軸６１は、上記軸受（支持部）４５に軸支されている。
【００３７】
すなわち、本実施形態にかかる加熱調理器Ａにおいては、ガード部材６０が備える回動軸６１を、枠体４４が備える軸受４５により軸支するようにして、ガード部材６０を、のぞき窓４３を覆う所定位置（図１、図２参照）から、前側上方に自由に回動させることができるように構成されている（図１Ａ、図２Ａ参照）。
【００３８】
本実施形態にかかる加熱調理器Ａは、このように構成されているのでガード部材６０により、使用時に高温になるグリル扉４２や、のぞき窓４３にはめ込まれたガラス（強化ガラス）４３ａへの手や指の接触が防止され、しかも、使用者がガード部材６０に触れたとき、熱く感じてしまうことが抑制される。
【００３９】
さらに、ガード部材６０が、所定位置（使用位置）から前側上方に回動可能にに構成されているので、グリル扉４２を閉じた状態でガード部材６０を所定位置から前側上方に回動することで、グリル庫４１内を視認することが可能になる。したがって、使い勝手の良い加熱調理器Ａを提供することができる。
【００４０】
また、本実施形態にかかる加熱調理器Ａでは、図３に示すように、ガード部材６０の上部の左右に設けた回動軸６１が、枠体４４の左右の垂直辺に設けた軸受４５（図４参照）に軸支された簡潔な構造とされている。
ただし、図４では、左側の垂直辺に設けた軸受４５のみが示されており、右側の垂直辺に設けた軸受は、枠体４４の右側垂直辺に遮られて見えない状態となっている。
【００４１】
因みに、本実施形態にかかる加熱調理器Ａでは、図２、図２Ａなどに示すように、ガード部材６０を所定位置（使用位置）から前側上方に回動させる際に把持する把持部６２が設けられている。なお、本実施形態では、ガード部材６０の下部の一部を前側上方に膨出させて把持部６２としている。
【００４２】
このように、把持部６２が設けられた構成とすることにより、ガード部材６０を所定位置（使用位置）から前方（前側上方）に回動させる場合に、使用者は、把持部６２を手指で把持することにより、ガード部材６０を、所定位置（使用位置）から前側上方の位置に容易に回動することができる。
【００４３】
また、本実施形態にかかる加熱調理器Ａでは、上下幅８ｍｍ未満で横長の貫通孔６３を、ガード部材６０の左右の２箇所に備えている。
なお、貫通孔６３の上下方向の寸法を８ｍｍ未満としたのは、使用者の手指がグリル扉ののぞき窓に届くことがないようにするためである。
【００４４】
このように、貫通孔６３を備えた構成とすることにより、ガード部材６０がのぞき窓４３を覆う所定位置（使用位置）に位置する状態で、貫通孔６３およびのぞき窓４３を経て外側からグリル庫４１内を視認することが可能になり、使い勝手が良好な加熱調理器Ａを提供することができる。
【００４５】
本発明は、上記実施形態に限定されるものではなく、本発明の範囲内において種々の変形を加えることが可能である。
【符号の説明】
【００４６】
Ａ          加熱調理器（グリル付きガスコンロ）
１（１ａ、１ｂ）    高火力バーナ
１（１ｃ）          小バーナ１
９          温度検出体（鍋底温度センサ）
１０        器具本体
１２        トッププレート
２１        バーナ操作部
２１ａ、２１ｂ      高火力バーナ操作部
２１ｃ      小バーナ操作部
２２        グリルバーナ操作部
２４        電源スイッチ
３２        コンロバーナ用の付加機能操作・表示部
３３        グリル用の付加機能操作・表示部
３４        手動操作部
４１        グリル庫
４１ａ      開口
４２        グリル扉
４３        のぞき窓
４３ａ      ガラス（強化ガラス）
４４        枠体
４５        支持部（軸受）
５１        五徳
６０        ガード部材
６２        把持部
６３        貫通孔
１０１      コンロ部
１０４      グリル部  
【図１】
2019148345.tif 000003
【図１Ａ】
2019148345.tif 000004
【図２】
2019148345.tif 000005
【図２Ａ】
2019148345.tif 000006
【図３】
2019148345.tif 000007
【図４】
2019148345.tif 000008